(57)【要約】【課題】タイヤ空気圧監視装置において、センサＩＤを登録する際に、他の車両に搭載されたセンサのセンサＩＤを誤って受信機に登録しないようにする。【解決手段】受信機１００と通信を行う外部機器３００を用い、この外部機器３００にセンサＩＤを設定し、送信機２００から送信データを送信させ、外部機器３００は、送信機２００から送信された送信データに含まれるのセンサＩＤと先に設定されたセンサＩＤとが一致するか否かを判定し、一致した場合に受信機１００との通信によりセンサＩＤを登録する。【選択図】        図１
2004216930.tif 000002
【特許請求の範囲】
【請求項１】
タイヤ内に組み込まれ、タイヤ内の空気圧力を測定して無線により送信データを送信する送信機と、
車両本体側に設置され、前記送信データを受信し、この送信データに含まれるセンサＩＤにより前記送信機を識別して前記タイヤ内の空気圧力を監視する受信機と、を備えたタイヤ空気圧監視装置のセンサＩＤ登録方法であって、
前記受信機および前記送信機と通信を行う外部機器を用い、
前記外部機器は、前記送信機からセンサＩＤを含む送信データを送信させ、この送信された前記送信データに基づいて、送信を行った送信機を識別し、この識別した送信機のセンサＩＤを前記受信機に登録する処理を行うことを特徴とするタイヤ空気圧監視装置のセンサＩＤ登録方法。
【請求項２】
前記外部機器に前記送信機のセンサＩＤを設定しておき、前記外部機器は、前記送信された送信データに含まれるセンサＩＤと前記設定されたセンサＩＤとが一致することによって前記送信を行った送信機を識別することを特徴とする請求項１に記載のタイヤ空気圧監視装置のセンサＩＤ登録方法。
【請求項３】
前記外部機器は、前記受信機に前記送信機からの無線によるセンサＩＤの登録を行わないようにし、この後、前記センサＩＤを登録する処理を行うことを特徴とする請求項１または２に記載のタイヤ空気圧監視装置のセンサＩＤ登録方法。
【請求項４】
前記外部機器に登録を行うセンサＩＤとタイヤの位置関係を設定し、前記外部機器は、センサＩＤとともにタイヤの位置関係を前記受信機に登録する処理を行うことを特徴とする請求項１ないし３のいずれか１つに記載のタイヤ空気圧監視装置のセンサＩＤ登録方法。
【請求項５】
前記外部機器は、前記受信機にセンサＩＤが登録されているか否かを判定し、センサＩＤが登録されていないときに車両の全ての送信機について前記センサＩＤを登録する処理を行うことを特徴とする請求項１ないし４のいずれか１つに記載のタイヤ空気圧監視装置のセンサＩＤ登録方法。
【請求項６】
前記外部機器は、前記受信機にセンサＩＤが登録されているときには、登録されているセンサＩＤの中で変更する送信機のセンサＩＤが設定されると、変更する送信機について前記センサＩＤを登録する処理を行うことを特徴とする請求項５に記載のタイヤ空気圧監視装置のセンサＩＤ登録方法。
【請求項７】
前記送信機と前記外部機器の間は無線で通信を行い、前記受信機と前記外部機器の間は有線で通信を行うことを特徴とする請求項１ないし６のいずれか１つに記載のタイヤ空気圧監視装置のセンサＩＤ登録方法。
【発明の詳細な説明】
【０００１】
【発明の属する技術分野】
本発明は、タイヤ空気圧監視装置のセンサＩＤ登録方法に関する。
【０００２】
【従来の技術】
従来より、車両の各タイヤ内に組み込まれたセンサによりタイヤ内の空気圧力をそれぞれ測定して、車体側に設けられた受信機に無線で送信し、受信機において、送信データに含まれるセンサの識別信号（すなわち、センサ固有に付与されたセンサＩＤ）により、送信データを送信しているセンサを識別して、タイヤ内の空気圧力を監視するタイヤ空気圧監視装置がある（例えば、特許文献１参照）。
【０００３】
【特許文献１】
特許第３２１２３１１号公報
【０００４】
【発明が解決しようとする課題】
上記したタイヤ空気圧監視装置において、受信機にセンサＩＤを登録する場合には、受信機のモードを登録モードに設定し、登録モード中にセンサから送信データを送信させ、この送信データに含まれるセンサＩＤをメモリに記憶させて、その登録を行うようにしている。
【０００５】
この場合、センサＩＤ登録は、図４に示すように並列に配置された多数の製造ラインで行われる場合や、ディーラ等の整備工場においても、複数の車両のセンサＩＤ登録を、近接した場所で行う場合が考えられる。
【０００６】
このため、登録モードにおいて近接する他の車両のセンサから送信データが送信された場合、受信機は、他の車両に搭載されたセンサのセンサＩＤを誤って登録してしまうという問題が生じる。
【０００７】
本発明は上記問題に鑑みたもので、タイヤ空気圧監視装置において、センサＩＤを登録する際に、他の車両に搭載されたセンサのセンサＩＤを誤って受信機に登録しないようにすることを目的とする。
【０００８】
【課題を解決するための手段】
上記目的を達成するため、請求項１に記載の発明では、受信機および送信機と通信を行う外部機器を用い、外部機器は、送信機からセンサＩＤを含む送信データを送信させ、この送信された送信データに基づいて、送信を行った送信機を識別し、この識別した送信機のセンサＩＤを受信機に登録する処理を行うことを特徴としている。
【０００９】
このように、外部機器を用いて、送信を行った送信機を識別し、この識別した送信機のセンサＩＤを受信機に登録するようにしているので、他の車両に搭載されたセンサのセンサＩＤを誤って受信機に登録してしまうことなく、タイヤ空気圧監視装置のセンサＩＤを正確に登録することができる。
【００１０】
この場合、送信を行った送信機の識別は、請求項２に記載の発明のように、送信された送信データに含まれるセンサＩＤと設定されたセンサＩＤとが一致することによって行うことができる。
【００１１】
また、請求項３に記載の発明のように、受信機に送信機からの無線によるセンサＩＤの登録を行わないようにし、この後、センサＩＤを登録する処理を行うようにすれば、センサＩＤの誤登録をより確実に防止することができる。
【００１２】
また、受信機への登録は、請求項４に記載の発明のように、センサＩＤとともにタイヤの位置関係も登録できるようにするのが好ましい。
【００１３】
また、請求項５に記載の発明のように、受信機にセンサＩＤが登録されているか否かを判定し、センサＩＤが登録されていないときに車両の全ての送信機についてセンサＩＤを登録する処理を行うようにすれば、初回登録であることを認識した上でセンサＩＤの登録を行うことができる。
【００１４】
また、請求項６に記載の発明のように、受信機にセンサＩＤが登録されているときに、変更する送信機についてセンサＩＤを登録するようにすれば、タイヤ交換など初回登録後にセンサＩＤを変更する必要が生じた場合にもセンサＩＤの再登録を行うことができる。
【００１５】
なお、上記した外部機器を用いる場合、請求項７に記載の発明のように、送信機と外部機器の間は無線で通信を行い、受信機と外部機器の間は有線で通信を行うようにすることができる。
【００１６】
【発明の実施の形態】
タイヤ空気圧監視装置は、図１に示すように、タイヤ内に組み込まれタイヤ内の空気圧力を測定して無線により送信データを送信する送信機２００と、車両本体側に設置され送信機２００からの送信データを受信し、この送信データに含まれるセンサＩＤにより送信機２００を識別してタイヤ内の空気圧力を監視する受信機１００と、この受信機１００に接続された表示器４００とから構成されている。
【００１７】
送信機２００は、圧力センサ２１０、制御回路２２０、送受信回路２３０、メモリ２４０および電源２５０から構成されている。制御回路２２０は、圧力センサ２１０によって測定されたタイヤ内の空気圧力の測定値およびメモリ２４０に記憶されたセンサＩＤ等に基づいて送信データを生成する。この送信データは、送受信回路２３０により所定の変調方式（ＡＳＫ、ＦＳＫ等）で変調され無線で送信される。
【００１８】
受信機１００は、受信回路部１１０、制御回路１２０、通信回路１３０、メモリ１４０および電源回路部１５０を備えている。受信回路部１１０は、送信機２００から無線で送信された送信データを受信する。受信機１００は、予めメモリ１４０にタイヤ位置とセンサ固有に付与されたセンサＩＤの対応関係を記憶し、この対応関係に基づき、受信した送信データが車両のいずれのタイヤ内に組み込まれたセンサから送信された送信データであるかを識別し、送信データに含まれるタイヤ内の空気圧力が基準値以下の場合には、通信回路１３０からケーブルを介して接続された表示器４００に警報信号を送信する。
【００１９】
表示器４００は、メータ内に設けられたランプにより構成され、受信機１００から警報信号が出力されると、ランプを点灯または点滅させてタイヤ内の空気圧力の異常を運転者に認識させる。
【００２０】
上記したタイヤ空気圧監視装置において、受信機１００にセンサＩＤを登録する場合、図１に示すように、外部機器３００を用いてセンサＩＤの登録が行われる。この外部機器３００の構成を図２に示す。外部機器３００は、送受信部３１０、制御回路３２０、通信回路３３０、メモリ３４０、電源回路部３５０、表示部３６０および入力部３７０を備えている。
【００２１】
送受信部３１０は、送信機２００と無線による双方向の通信を行うように構成されている。通信回路３３０は、ケーブルを介して受信機１００と接続され、受信機１００と有線による双方向の通信を行う。メモリ３４０には、予めセンサＩＤの登録の処理を行うプログラムなどが記憶されている。制御回路３２０は、メモリ３４０に記憶されたプログラムに従い、必要に応じて表示部３６０に確認内容を表示させ、入力部３７０からの入力情報に基づきセンサＩＤの登録処理を行う。
【００２２】
図３に、外部機器３００の制御回路（以下、外部機器制御回路という）３２０によるセンサＩＤの登録処理を示す。このセンサＩＤの登録を行うに際し、作業者は、外部機器３００を受信機１００に接続し、図１に示す状態にする。
【００２３】
作業者は、センサＩＤの登録を開始するためのコマンドを入力部３７０に入力する。このコマンド入力により、外部機器制御回路３２０は、メモリ３４０に記憶されたプログラムに従ってその処理を開始し、まず受信機１００にコマンドを送信する。受信機１００は、このコマンドにより送信機２００から送信される無線によるセンサＩＤの登録を行わない設定をする。
【００２４】
そして、外部機器制御回路３２０は、受信機１００のメモリ１４０に記憶されているデータを読み出し、受信機１００のメモリ１４０にセンサＩＤが記憶されているか、すなわち受信機１００にセンサＩＤが既に登録されているか否かを判定する（Ｓ８００）。
【００２５】
ここで、受信機１００のメモリ１４０にセンサＩＤを初回登録する場合には、メモリ１４０にセンサＩＤが記憶されていないので、Ｓ８００の判定がＮＯになり、外部機器制御回路３２０は、ＩＤ書換モードを設定する（Ｓ８０４）。
【００２６】
次に、外部機器制御回路３２０は、登録するセンサＩＤおよび登録するセンサＩＤの数を入力する画面を表示部３６０に表示させ、作業者の入力に基づいて、登録するセンサＩＤおよび登録するセンサＩＤの数を設定する（Ｓ８０６）。この場合、作業者は、表示部３６０の表示画面に従い、登録するセンサＩＤおよび登録するセンサＩＤの数を入力部３７０から入力する。例えば、図１に示すように、センサＩＤ−１、ＩＤ−２、ＩＤ−３、ＩＤ−４に対し、「１２３４５」、「２３４５６」、「３４５６７」、「４５６７８」を入力部３７０に入力するとともに、登録するセンサＩＤの数として「４」を入力部３７０に入力する。このような入力に基づいて、外部機器制御回路３２０は、登録するセンサＩＤおよび登録するセンサＩＤの数を設定する。
【００２７】
次に、外部機器制御回路３２０は、各送信機２００に対しセンサＩＤの送信を要求する旨の信号を送受信部３１０から送信させる。このことにより、各送信機２００からセンサＩＤを含む送信データが送信される。
【００２８】
外部機器制御回路３２０は、送信された送信データを送受信部３１０を介して受信し、各送信機２００から送信された送信データに含まれるセンサＩＤと、入力部３７０に入力されたセンサＩＤとが一致するか否かを判定する（Ｓ８０８）。また、一致したセンサＩＤの数と入力部３７０に入力されたセンサＩＤの数が一致するか否かを判定する（Ｓ８１０）。そのいずれかの判定がＮＯになった場合は、ステップ８０６に戻る処理を繰り返す。この場合、表示部３６０の表示画面に従い、作業者は、登録するセンサＩＤおよび登録するセンサＩＤの数を入力し直すことも可能である。
【００２９】
また、Ｓ８０８およびＳ８１０の判定がいずれもＹＥＳになると、外部機器制御回路３２０は、センサＩＤとタイヤの位置の関係を入力する画面を表示部３６０に表示させ、作業者の入力に基づいてセンサＩＤとタイヤの位置の関係を設定する（Ｓ８１２）。この場合、作業者は、表示部３６０の表示画面に従い、センサＩＤとタイヤの位置の関係を入力部３７０に入力する。例えば、ＩＤ−１、ＩＤ−２、ＩＤ３、ＩＤ−４に対し、右側前輪、左側前輪、右側後輪、左側後輪として入力部３７０に入力する。このような入力に基づいて、外部機器制御回路３２０は、センサＩＤとタイヤの位置の関係を設定する。
【００３０】
そして、外部機器制御回路３２０は、受信機１００に対し、センサＩＤ、センサＩＤの数およびタイヤ位置の関係が格納されたデータを送受信部３１０から送信させる（Ｓ８１４）。このことにより、受信機１００の制御回路１２０は、外部機器３００から送信されたデータに基づき、センサＩＤ、センサＩＤの数およびタイヤの位置関係をメモリ１４０に記憶してセンサＩＤを登録する。
【００３１】
このようにしてセンサＩＤの登録作業が終了する。この登録作業の終了後、外部機器３００は受信機１００から取り外される。
【００３２】
また、上記したような初回登録の後、タイヤ交換などによって、センサＩＤの再登録を行う必要が生じたときには、外部機器３００を用いてセンサＩＤの再登録を行うことができる。但し、この再登録の場合には、既に受信機１００のメモリ１４０にセンサＩＤが記憶されているので、Ｓ８００においてその判定がＹＥＳになる。この場合、外部機器制御回路３２０は、全ての送信機２００のセンサＩＤを書き換えるＩＤ書換モードと、特定の送信機２００のセンサＩＤのみを変更するＩＤ変更モードのいずれを選択するかの選択画面を表示部３６０に表示させ、作業者がいずれを選択したか判定する（Ｓ８０２）。
【００３３】
作業者がＩＤ書換モードを選択した場合には、Ｓ８０４以降の処理を行い、上記した初回登録と同様、受信機１００のメモリ１４０に、全ての送信機２００に対するセンサＩＤ、センサＩＤの数およびタイヤの位置関係を新たにメモリ１４０に記憶させるようにする。
【００３４】
また、作業者がＩＤ変更モードを選択した場合には、外部機器制御回路３２０は、ＩＤ変更モードを設定する（Ｓ８１６）。次に、外部機器制御回路３２０は、受信機１００のメモリ１４０に記憶されているセンサＩＤを読み出して表示部３６０に表示させる（Ｓ８０６）。作業者は、表示部３６０に表示されたセンサＩＤの中から、変更するセンサＩＤを選択する。外部機器制御回路３２０は、作業者によって選択されたセンサＩＤを受信機１００のメモリ１４０から削除する（Ｓ８２０）。
【００３５】
次に、外部機器制御回路３２０は、登録するセンサＩＤおよび登録するセンサＩＤの数を入力する画面を表示部３６０に表示させ、作業者による入力に基づいて、登録するセンサＩＤおよび登録するセンサＩＤの数を設定する（Ｓ８０６）。この場合、変更しないセンサＩＤについては、その画面上に予め表示され、新たに登録するセンサＩＤおよびセンサＩＤの数のみが入力される。
【００３６】
この後、外部機器制御回路３２０は、Ｓ８０８以降の処理を実行する。この場合、Ｓ８１２、Ｓ８１４の処理では、新たに登録するセンサＩＤについてのみセンサＩＤとタイヤの位置の関係を設定し、メモリ１４０にそれを記憶させる。
【００３７】
上記した実施形態によれば、受信機１００および送信機２００と通信を行う外部機器３００を用い、この外部機器３００に、登録するセンサＩＤを設定しておき、この外部機器３００により、送信機２００からセンサＩＤを含む送信データを送信させ、送信機から送信された送信データに含まれるセンサＩＤと設定されたセンサＩＤとが一致するか否かを判定し、一致した場合に受信機１００との通信によりセンサＩＤを登録するようにしているから、他の車両に搭載されたセンサのセンサＩＤを誤ってメモリに登録してしまうことなく、タイヤ空気圧監視装置のセンサＩＤを正確に登録できる。
【００３８】
なお、上記実施形態では、送信機から送信された送信データに含まれるセンサＩＤと設定されたセンサＩＤとが一致するか否かを判定して送信を行った送信機を識別するものを示したが、センサＩＤ以外に送信データに含まれる他のデータに基づいて送信を行った送信機を識別するようにしてもよい。
【００３９】
また、上記した実施形態では、作業者が外部機器３００に種々の設定入力を行うものを示したが、それらの全て若しくはそれらのいくつかについて自動的にデータが設定されるようになっていてもよい。
【００４０】
また、上記実施形態では、外部機器３００からの無線による送信指示により、各送信機２００から送信データが送信される例について示したが、送信機２００において、例えば、タイヤの空気注入口近辺のようにタイヤ外部から接続可能な位置に接続端子を備え、この接続端子を介して外部機器３００から送信機２００に対し、有線で送信指示を行うようにしてもよい。また、外部機器３００と受信機１００間および外部機器３００と各送信機２００との間を両方とも無線で通信を行うようにしてもよい。この場合、外部機器３００と受信機１００間の通信は、送信機２００が送信データを送信する周波数と異なる周波数の無線を用いるようにするのが好ましい。
【００４１】
また、上記実施形態において、他の車両に搭載された送信機のセンサＩＤを誤って受信機１００のメモリ１４０に登録しないように、外部機器３００のメモリ３４０に記憶されたプログラムの起動により、受信機１００は送信機２００からの無線によるセンサＩＤの登録を行わない設定となる例について示したが、このプログラムに従ってセンサＩＤを登録する間であっても、受信機１００は送信機２００から送信される無線によりタイヤ内の空気圧力を検出するようにしてもよい。
【図面の簡単な説明】
【図１】本発明の一実施形態に係るタイヤ空気圧監視装置のセンサＩＤ登録方法におけるセンサＩＤ登録時の構成を示す図である。
【図２】外部機器の構成を示す図である。
【図３】外部機器制御回路３２０によるセンサＩＤの登録処理を示すフローチャートである。
【図４】本発明の課題を説明するための説明図である。
【符号の説明】
１００…送信機、１１０…受信回路部、１２０…制御回路、
１３０…通信回路部、１４０…メモリ、１４０…電源回路部、
２００…送信機、２１０…圧力センサ、２２０…制御回路、
２３０…送信回路、２４０…メモリ、２５０…電源、３００…外部機器、
３１０…送受信部、３２０…制御回路、３３０…通信回路、３４０…メモリ、
３５０…電源、３６０…表示部、３７０…入力部、４００…表示器。
【図１】
2004216930.tif 000003
【図２】
2004216930.tif 000004
【図３】
2004216930.tif 000005
【図４】
2004216930.tif 000006